(57)【特許請求の範囲】
【請求項１】
検体中の特定成分の分析を行う複数の検査装置と、前記検査装置による検査の管理並びに検査結果の処理および管理を行う情報処理装置と、を備え、前記検査装置および前記情報処理装置は、互いに通信回線を介してデータの送受が可能である検体検査システムであって、
前記通信回線を介して変更後のデータを前記情報処理装置から前記検査装置に送信することにより、前記複数の検査装置の設定条件を一括して同一設定条件に変更する一括変更手段であって、前記情報処理装置に備えられて、前記通信回線を介して変更後の設定条件のデータを前記検査装置に送信する送信手段と、前記検査装置に備えられて、前記情報処理装置から送信されてきた変更後の設定条件のデータを受信する受信手段と、前記検査装置に備えられて、既存の設定条件を前記受信手段により受信したデータに変更する変更手段と、を有する一括変更手段と、
前記検査装置に備えられ、かつ前記受信手段により変更後の設定条件の正常なデータを正常に受信したかを判断する正常受信判断手段と、
前記検査装置に備えられ、かつ前記正常受信判断手段による判断結果を前記情報処理装置に送信する判断結果送信手段と、
前記情報処理装置に備えられ、かつ前記判断結果送信手段によって前記受信手段が変更後の設定条件の正常なデータを正常に受信しなかった旨の信号が送信されてきた場合に、変更後の設定条件のデータの再送信を行う再送信手段と、
を備えたことを特徴とする、検体検査システム。
【発明の詳細な説明】
【０００１】
【発明の属する技術分野】
本願発明は、検体中の特定成分の分析を行う検査装置と、前記検査装置による検査の管理並びに検査結果の処理および管理を行う情報処理装置と、を備え、前記検査装置および前記情報処理装置は、互いに通信回線を介してデータの送受が可能である検体検査システムに関する。
【０００２】
【従来の技術】
近年、パーソナルコンピュータなどのコンピュータを用いてのデータ通信が盛んに行われている。特に、いわゆるパソコン通信は、パソコンの所有者同志の通信に限らず様々な方面で利用されている。たとえば、検査センター等においては、検査装置による検査結果などのデータを通信回線を介して検査装置から離れた場所にあるホストコンピュータに送信し、検査装置による検査結果などを一か所で集中管理するといったようにも利用されている。
【０００３】
検査センター等においては、極めて多数の同種の検体を検査しなければならず、そのため同一種類の検査装置が複数台配されている。このような場合、前記複数の検査装置相互の設定条件、たとえば測定感度などの測定条件を統一しておく必要がある。
【０００４】
【発明が解決しようとする課題】
しかしながら、前記のような同一検査装置が複数台配されている施設においては、設定条件、たとえば測定感度などの測定条件を変更する場合、前記複数の検査装置の設定条件を一台ずつ人力によって手入力で変更していた。
【０００５】
ところが、一台ずつ手入力によって各検査装置の設定条件を変更するには、人手や時間など多大な労力を要する。また、各検査装置の設定条件の変更に多大な時間を費やしてしまうと、準備された検体の性質が変わってしまい、所望の状態で検体を検査することができなくなる。その上、手入力によって各検査装置の設定条件を変更する場合、どうしても入力ミスなどが生じる蓋然性が高くなり、入力ミスにより入力された設定条件で検体が測定されれば、本来測定されるべき値と異なった値が測定されてしまう。
【０００６】
本願発明は、上記した事情のもとで考え出されたものであって、検査センターなどの同一種類の検査装置を複数台有する施設において、複数の検査装置の設定条件を労することなく確実に、かつ一括してその設定条件を同一設定条件に変更できる検体検査システムを提供することをその課題とする。
【０００７】
【発明の開示】
上記の課題を解決するため、本願発明では、次の技術的手段を講じている。
【０００８】
すなわち、本願発明に係る検体検査システムは、検体中の特定成分の分析を行う複数の検査装置と、前記検査装置による検査の管理並びに検査結果の処理および管理を行う情報処理装置と、を備え、前記検査装置および前記情報処理装置は、互いに通信回線を介してデータの送受が可能である検体検査システムであって、前記通信回線を介して変更後のデータを前記情報処理装置から前記検査装置に送信することにより、前記複数の検査装置の設定条件を一括して同一設定条件に変更する一括変更手段であって、前記情報処理装置に備えられて、前記通信回線を介して変更後の設定条件のデータを前記検査装置に送信する送信手段と、前記検査装置に備えられて、前記情報処理装置から送信されてきた変更後の設定条件のデータを受信する受信手段と、前記検査装置に備えられて、既存の設定条件を前記受信手段により受信したデータに変更する変更手段と、を有する一括変更手段と、前記検査装置に備えられ、かつ前記受信手段により変更後の設定条件の正常なデータを正常に受信したかを判断する正常受信判断手段と、前記検査装置に備えられ、かつ前記正常受信判断手段による判断結果を前記情報処理装置に送信する判断結果送信手段と、前記情報処理装置に備えられ、かつ前記判断結果送信手段によって前記受信手段が変更後の設定条件の正常なデータを正常に受信しなかった旨の信号が送信されてきた場合に、変更後の設定条件のデータの再送信を行う再送信手段と、を備えたことを特徴としている。
【００１０】
このような検体検査システムによれば、同一種の検査装置が複数台配されている施設などにおいて設定条件を変更する場合、前記複数の検査装置の設定条件を一台ずつ人力によって手入力で変更することなく、前記検査装置と通信回線を介して接続された情報処理装置を操作することにより一括して選択された前記検査装置の設定条件を変更することができる。すなわち、人手や時間など多大な労力を要することなく前記複数台の検査装置の設定条件を前記情報処理装置を操作することにより一括して変更することができる。さらに、従来の手入力による設定条件の変更には付き物であった入力ミスを生じる蓋然性は極めて低くなる。
【００１２】
本願発明に係る検体検査システムによればさらに、情報処理装置および情報処理装置側のオペレーターが前記情報処理装置から送信した変更後の設定条件のデータが正常に前記検査装置に受信されたか否かを判断できる。すなわち、情報処理装置側のオペレーターが、前記検査装置が誤った設定条件に設定されないように対応でき、前記検査装置の設定条件が誤った状態のままで検体の検査が行われることを回避できる。
【００１３】
なお、前記検査装置による前記情報処理装置から送信されてきた変更後の設定条件のデータを正常に受信した否かの判断は、たとえばチェックサムが正常であるか否かにより行われる。
【００１５】
本願発明に係る検体検査システムによればまた、前記情報処理装置から前記検査装置に変更後の設定条件のデータを送信したにも関わらず、前記検査装置が正常に前記データを受信できなかった場合に、自動的に前記情報処理装置から前記検査装置に変更後の設定条件のデータを送信することができる。すなわち、前記検査装置が正常に前記データを受信できなかった場合に、前記情報処理装置側のオペレーターの手を煩わせることなく前記検査装置に変更後の設定条件のデータを前記検査装置に正常に受信させることができ、前記検査装置が異常受信したままの状態で検体の検査を行い、誤った検査結果が真の検査結果として処理されてしまうことはない。
【００１６】
なお、前記検査装置としては、血糖検査装置、ヘモグロビン検査装置、尿検査装置などが考えられる。前記情報処理装置としては、前記検査装置と通信回線を介してのデータの送受および前記検査装置から送られてくるデータの処理および管理を行えるものであればよく、たとえばパーソナルコンピュータ、ワークステーション、大規模電子計算機が考えられる。前記設定条件としては、測定条件（測定温度、測定時間、光学系の検査装置においては光の強度や測定波長など）、測定感度、同一検体について再測定を行うか否かの設定、検体が配設されたラックの搬送形式、検体を識別および選別するためのバーコードの識別方式、前記検査装置と前記情報処理装置との間のデータ通信を行う場合の通信速度、検量線の変更などが考えられるが、従来手入力によって前記検査装置毎に設定変更されていた設定項目全般に本願発明は適応可能である。前記送信手段は、前記情報処理装置のＣＰＵまたはプロセサ、およびＳＩＯ等により実現する。前記受信手段は、前記検査装置のＣＰＵまたはプロセサ、およびＳＩＯ等により実現する。前記変更手段および前記正常受信判断手段は、前記検査装置のＣＰＵまたはプロセサがＲＯＭなどに記憶されたプログラムを実行することにより実現する。前記判断結果送信手段は、前記検査装置のＣＰＵまたはプロセサ、およびＳＩＯにより実現する。前記再送信手段は、前記情報処理装置のＣＰＵまたはプロセサ、およびＳＩＯにより実現する。
【００２０】
本願発明のその他の特徴および利点は、添付図面を参照して以下に行う詳細な説明によって、より明らかとなろう。
【００２１】
【発明の実施の形態】
以下、本願発明の好ましい実施の形態を、図面を参照して具体的に説明する。
【００２２】
図１は、情報処理装置１２および複数台の検査装置３２を備える本願発明に係る検体検査システムであり、前記情報処理装置１２および検査装置３２は各々主要構成を示す回路ブロック図で表されている。なお、本実施形態においては、同一種の前記検査装置３２は、Ｎ台あるものとする。
【００２３】
情報処理装置１２は、プロセサ１、ＲＯＭ２、ＲＡＭ３、ゲートアレイ４、ＥＥＰＲＯＭ５、ＳＩＯ６、ＲＳ２３２Ｃドライバ・レシーバ７、操作部８、表示部９および記録部１０を備えている。プロセサ１、ＲＯＭ２、ＲＡＭ３、ゲートアレイ４、ＥＥＰＲＯＭ５、およびＳＩＯ６は、バス線によって相互に接続されている。バス線は、データバス、アドレスバスおよび制御信号線を含んでいる。ゲートアレイ４には、操作部８、表示部９および記録部１０が接続されている。ＲＳ２３２Ｃドライバ・レシーバ７は、ＳＩＯ６および通信回線１１に接続されている。
【００２４】
プロセサ１は、情報処理装置１２全体を制御する。ＲＯＭ２は、各種のプログラムやデータなどを記憶している。ＲＡＭ３は、プロセサ１により処理されたデータなどの各種のデータを記憶している。ゲートアレイ４は、プロセサ１に対する入出力を制御する。ＥＥＰＲＯＭ５は、フラグなどを記憶している。ＳＩＯ６は、シリアルデータを受信データに変換し、送信データをシリアルデータに変換する。ＲＳ２３２Ｃドライバ・レシーバ７は、ＲＳ２３２Ｃレベル信号とＴＴＬレベル信号との相互のレベル変換を行う。操作部８は、キースイッチ群などからなり、使用者の操作に応じた操作信号を出力する。表示部９は、ＬＣＤなどからなり、プロセサ１に制御されて各種の表示を行う。記録部１０は、各種の画像データ、たとえば検査装置３２から送られてきた検査結果などのデータに基づいて、記録用紙上に画像を記録する。
【００２５】
検査装置３２は、ＣＰＵ２１、ＲＯＭ２２、ＲＡＭ２３、ゲートアレイ２４、ＲＳ２３２Ｃドライバ・レシーバ２５、ＳＩＯ２６、ＥＥＰＲＯＭ２７、操作部２８、記録部２９、表示部３０および検査部３１を備えている。ＣＰＵ２１、ＲＯＭ２２、ＲＡＭ２３、ゲートアレイ２４、ＳＩＯ２６およびＥＥＰＲＯＭ２７は、バス線によって相互に接続されている。バス線は、データバス、アドレスバスおよび制御信号線を含んでいる。ゲートアレイ２４には、操作部２８、記録部２９、表示部３０および検査部３１が接続されている。ＲＳ２３２Ｃドライバ・レシーバ２５は、ＳＩＯ２６および通信回線１１に接続されている。
【００２６】
ＣＰＵ２１は、検査装置３２全体を制御する。ＲＯＭ２２は、各種のプログラムやデータなどを記憶している。ＲＡＭ２３は、ＣＰＵ２１により処理されたデータなどの各種のデータを記憶している。ゲートアレイ２４は、ＣＰＵ２１に対する入出力を制御する。ＲＳ２３２Ｃドライバ・レシーバ２５は、ＲＳ２３２Ｃレベル信号とＴＴＬレベル信号との相互のレベル変換を行う。ＳＩＯ２６は、シリアルデータを受信データに変換し、送信データをシリアルデータに変換する。ＥＥＰＲＯＭ２７は、登録データやフラグなどを記憶している。操作部２８は、キースイッチ群などからなり、使用者の操作に応じた操作信号を出力する。記録部２９は、各種の画像データ、たとえば後述する検査部３１の検査結果などに基づいて、記録用紙上に画像を記録する。表示部３０は、ＬＣＤなどからなり、プロセサ１に制御されて各種の表示を行う。検査部３１は、たとえば分光分析装置などからなり検体の特定成分の分析を行う。
【００２７】
すなわち、プロセサ１、ＳＩＯ６およびＲＳ２３２Ｃドライバ・レシーバ７は、通信回線を介して情報処理装置から変更後の設定条件のデータを検査装置に送信する前記情報処理装置に備えられた送信手段を構成している。ＣＰＵ２１、ＲＳ２３２Ｃドライバ・レシーバ２５およびＳＩＯ２６は、前記情報処理装置から送信されてきた変更後の設定条件のデータを前記検査装置が受信する受信手段を構成している。ＣＰＵ２１およびＲＯＭ２２は、既存の設定条件を前記受信手段により受信したデータに変更する前記検査装置に備えられた変更手段を構成している。ＣＰＵ２１およびＲＡＭ２３は、前記受信手段により変更後の設定条件の正常なデータを正常に受信したかを判断する正常受信判断手段を構成している。ＣＰＵ２１およびＲＯＭ２２は、前記正常受信判断手段による判断結果を前記情報処理装置に送信する判断結果送信手段を構成している。プロセサ１およびＲＯＭ２は、前記判断結果送信手段によって前記受信手段が変更後の設定条件の正常なデータを正常に受信しなかった旨の信号が送信されてきた場合に、変更後の設定条件のデータの再送信を行う再送信手段を構成している。
【００２８】
次に、このように構成された検体検査システムの動作について説明する。先ず、オペレーターによって情報処理装置１２に変更後の設定条件が入力された場合に、情報処理装置１２側から設定条件の変更を行うべき検査装置３２を選択する。次いで、選択された検査装置３２のうちの１つの検査装置３２に変更後のデータを送信する。データを受信した検査装置３２は、受信したデータのチェックサムが正常であるかを判断し、その結果を情報処理装置１２に通知する。情報処理装置１２は、検査装置３２から送られてきた通知が検査装置３２が正常に受信していない旨の通知であるか、あるいは所定時間内に検査装置３２から通知が送られてこなかった場合に、変更後のデータを検査装置３２に再送信する。検査装置３２は、正常に変更後のデータを受信した場合には、既存のデータを受信したデータに変更する。なお、選択された全ての検査装置３２に対して、上記のような検査装置３２の設定条件を変更すべき動作を行う。
【００２９】
続いて、このように構成された検体検査システムの変更処理の手順について図２および図３に示すフローチャートを参照しながら説明する。
【００３０】
図２は、情報処理装置１２側の変更処理の手順を示すフローチャートであり、以下情報処理装置１２側の変更処理の手順について説明する。なお、本実施形態における情報処理装置１２と検査装置３２とは、同じ建物あるいは互いに離れた別の建物に配置されており、通信回線を介して相互にデータの送受が行われるものとする。
【００３１】
先ず、プロセサ１が、オペレーターによって情報処理装置１２に変更後の設定条件が入力されたか否か判断する（Ｓ１）。プロセサ１が、変更後の設定条件が入力されたと判断した場合には（Ｓ１：ＹＥＳ）、続いてオペレータが設定条件を変更すべき検査装置３２を選択し、プロセサ１がオペレーターによる前記選択が終了したか否かを判断する（Ｓ２）。なお、前記情報処理装置１２側からの設定条件を変更すべき前記検査装置３２の選択は、各検査装置３２に付されたアドレス番号あるいはＩＤ番号を選択することにより行われる。また、プロセサ１による設定条件を変更すべき検査装置３２の選択の終了は、オペレーターによって選択終了のコマンドが入力されたか否かによって判断される。
【００３２】
Ｓ２において、プロセサ１が設定条件を変更すべき検査装置３２の選択が終了していないと判断した場合には（Ｓ２：ＮＯ）、プロセサ１によって設定条件を変更すべき検査装置３２の選択が終了したと判断されるまで前記判断を繰り返す。プロセサ１が、設定条件を変更すべき検査装置３２の選択が終了したと判断した場合には（Ｓ２：ＹＥＳ）、入力された変更後の設定条件を検査装置３２に送信すべき指示がオペレーターによって入力されたか否かがプロセサ１によって判断される（Ｓ３）。
【００３３】
Ｓ３において、プロセサ１が、入力された変更後の設定条件を送信すべき指示がオペレーターによって入力されていないと判断した場合には（Ｓ３：ＮＯ）、入力された変更後の設定条件を検査装置３２に送信すべき指示がプロセサ１によって入力されたと判断されるまで前記判断を繰り返す。
【００３４】
Ｓ３において、プロセサ１が、入力された変更後の設定条件を検査装置３２に送信すべき指示がオペレーターによって入力されたと判断した場合には（Ｓ３：ＹＥＳ）、情報処理装置１２から検査装置３２に変更後の設定条件のデータを送信し（Ｓ４）、タイマをセットする（Ｓ５）。なお、本実施形態におけるタイマとしては、カウントダウン方式のものが用いられる。具体的には、タイマを設定すべき時間に応じて整数の変数Ｎを設定し、所定周期のクロック信号に同期して順次変数Ｎの値を１ずつ減じていき、変数Ｎが０になった時点でタイムアップとするものである。
【００３５】
次いで、プロセサ１が情報処理装置１２から送信した変更後の設定条件のデータが受信された旨の通知が検査装置３２から送られてきたか否かを判断する（Ｓ６）。プロセサ１が、前記通知が検査装置３２から送られてきていないと判断した場合には（Ｓ６：ＮＯ）、プロセサ１がタイマを監視し、タイムアップ、すなわち変数Ｎが０であるか否かを判断する（Ｓ９）。プロセサ１が、タイムアップでない、すなわち変数Ｎが０でないと判断した場合には（Ｓ９：ＮＯ）、プロセサ１が前記通知が送られてきたと判断するか（Ｓ６：ＹＥＳ）、あるいはタイムアップ、すなわち変数Ｎが０であると判断するまで（Ｓ９：ＹＥＳ）待機する。
【００３６】
Ｓ６において、プロセサ１が、検査装置３２から変更後のデータを受信した旨の通知が送られてきたと判断した場合には（Ｓ６：ＹＥＳ）、その通知が検査装置３２が正常なデータを正常に受信した旨の通知であるか否かを判断する（Ｓ７）。なお、プロセサ１による検査装置３２が情報処理装置１２から送られた変更後の設定条件のデータを正常に受信したか否かの判断は、検査装置３２側から送られてくるフラグの値により判断される。具体的には、検査装置３２が正常受信をした場合には、フラグの値を０とし、正常受信をしなかった場合には、フラグの値を１として、検査装置３２が情報処理装置１２にこのフラグの値を送信し、プロセサ１がこの値から検査装置３２が正常受信したか否かを判断する。
【００３７】
Ｓ７において、プロセサ１が前記通知が検査装置３２が変更後の設定条件の正常なデータを受信しなかった旨の通知であると判断した場合（Ｓ７：ＮＯ）、または、Ｓ９において、プロセサ１がタイムアップ、すなわち変数Ｎが０であると判断した場合には（Ｓ９：ＹＥＳ）、プロセサ１が情報処理装置１２から検査装置３２に対して変更後の設定条件のデータを再送信する（Ｓ１０）。
【００３８】
Ｓ７において、プロセサ１が情報処理装置１２が受信した通知が検査装置３２が変更後のデータを正常に受信した旨の通知であると判断した場合（Ｓ７：ＹＥＳ）、またはＳ１０において再送信が行われた場合には、Ｓ１において選択された設定条件を変更すべき全ての検査装置３２について、設定条件の変更を行ったか否かを判断する（Ｓ８）。
【００３９】
Ｓ８において、プロセサ１が選択された設定条件を変更すべき全ての検査装置３２について、設定条件の変更を行っていないと判断した場合には（Ｓ８：ＮＯ）、Ｓ４に戻って設定条件の変更が行われていない他の選択された検査装置３２に変更後のデータを送信し、以下同様に動作を繰り返す。
【００４０】
Ｓ１においてプロセサ１が変更後の設定条件の入力が行われていないと判断した場合（Ｓ１：ＮＯ）、またはＳ８においてプロセサ１が選択された設定条件を変更すべき全ての検査装置３２について、設定条件の変更を行ったと判断した場合には（Ｓ８：ＹＥＳ）、このルーチンを終了する。
【００４１】
続いて、図３に示すフローチャートに基づいて検査装置３２側の変更処理の手順について説明する。
【００４２】
先ず、情報処理装置１２から変更後の設定条件の送信要求があったか否かをＣＰＵ２１が判断する（Ｓ２１）。ＣＰＵ２１が、変更後の設定条件の送信要求があったと判断した場合には（Ｓ２１：ＹＥＳ）、情報処理装置１２から送られてくる変更後の設定条件のデータを受信する（Ｓ２２）。
【００４３】
続いて、ＣＰＵ２１が、情報処理装置１２から送られてきた変更後の設定条件のデータの受信が終了したか否かを判断する（Ｓ２３）。ＣＰＵ２１が、情報処理装置１２から送られてきた変更後の設定条件のデータの受信が終了していないと判断した場合には（Ｓ２３：ＮＯ）、ＣＰＵ２１がデータの受信が終了したと判断するまで、前記判断を繰り返す。
【００４４】
Ｓ２３において、ＣＰＵ２１が、情報処理装置１２から送られてきた変更後の設定条件のデータの受信が終了したと判断した場合には（Ｓ２３：ＹＥＳ）、チェックサムが正常であるか否かを判断する（Ｓ２４）。
【００４５】
Ｓ２４において、ＣＰＵ２１がチェクサムが正常であると判断した場合には（Ｓ２４：ＹＥＳ）、正常なデータを正常に受信したということであるのでＣＰＵ２１が設定条件の変更後の正常なデータを受信した旨を情報処理装置１２に通知する（Ｓ２５）。具体的には、チェックサムが正常であればフラグを０とし、この値をＣＰＵ２１の制御に基づいて情報処理装置１２に送信する。続いて、ＣＰＵ２１がＲＯＭ２２に記憶されたプログラムを実行することにより、ＲＡＭ２３に記憶された既存の設定条件を受信した変更後の設定条件のデータを変更する（Ｓ２７）。
【００４６】
Ｓ２４において、ＣＰＵ２１がチェクサムが正常でないと判断した場合には（Ｓ２４：ＮＯ）、正常なデータを受信できなかったということであるのでＣＰＵ２１が設定条件の変更後の正常なデータを受信しなかった旨を情報処理装置１２に通知、すなわちフラグを１として情報処理装置１２に通知する（Ｓ２６）。
【００４７】
ＣＰＵ２１がＲＡＭ２３に記憶された既存の設定条件を受信した変更後の設定条件のデータに変更した場合（Ｓ２７）、ＣＰＵ２１が設定条件の変更後の正常なデータを受信しなかった旨を情報処理装置１２に通知した場合（Ｓ２６）、または、Ｓ２１においてＣＰＵ２１が情報処理装置１２から変更後の設定条件の送信要求がなかったと判断した場合には（Ｓ１：ＮＯ）、このルーチンを終了する。
【００４８】
このような検体検査システムによれば、同一種の検査装置３２が複数台配されている施設などにおいて設定条件を変更する場合、前記複数の検査装置３２の設定条件を一台ずつ人力によって手入力で変更することなく、前記検査装置と通信回線を介して接続された情報処理装置１２を操作することにより選択された前記検査装置３２の設定条件を一括して変更することができる。すなわち、人手や時間など多大な労力を要することなく前記複数台の検査装置３２の設定条件を変更することができる。さらに、従来の手入力による設定条件の変更には付き物であった入力ミスを生じる蓋然性は極めて低くなる。
【００４９】
さらに、本実施形態における検体検査システムは、検査装置３２から変更後の設定条件のデータを正常に受信したか否かの通知が情報処理装置１２に送られてくるので、情報処理装置１２側のオペレーターが前記情報処理装置１２から送信した変更後の設定条件のデータが正常に前記検査装置３２に受信されたか否かを判断できる。すなわち、本実施形態のように、情報処理装置１２側のオペレーターが、前記検査装置３２が誤った設定条件に設定されないように再送信するなどして対応でき、前記検査装置３２の設定条件が誤った状態のままで検体の検査が行われることを回避できる。
【００５０】
もちろん、この発明の範囲は上述した実施の形態に限定されるものではない。たとえば、情報処理装置１２と検査装置３２とのデータの送受は、通信回線としてＬＡＮ（ローカルエリアネットワーク）を利用したものであってもよいし、これに限らず通信回線として電話回線を利用したものであってもよい。
【００５１】
また、変更後の設定条件を送信すべき検査装置３２の選択は、選択的事項であり複数台の同一種類の検査装置３２のみが配置されている施設などにおいては、変更後の設定条件を送信すべき検査装置３２の選択を行わなくてもよく、また複数種類の検査装置３２が配置されている施設などにおいては、複数種類の検査装置３２の中から特定種類の検査装置３２を選択するように構成してもよい。
【００５２】
その他、情報処理装置１２が前記データの再送信を行った場合に、検査装置３２から前記データを受信した旨の通知を情報処理装置１２に送るように構成してもよい。
【図面の簡単な説明】
【図１】本願発明に係る検体検査システムの主要構成を示す回路ブロック図である。
【図２】図１に示す情報処理装置による変更処理の手順を説明するフローチャートである。
【図３】図１に示す検査装置による変更処理の手順を説明するフローチャートである。
【符号の説明】
１  プロセサ（情報処理装置の）
２  ＲＯＭ（情報処理装置の）
３  ＲＡＭ（情報処理装置の）
４  ゲートアレイ（情報処理装置の）
５  ＥＥＰＲＯＭ（情報処理装置の）
６  ＳＩＯ（情報処理装置の）
７  ＲＳ２３２Ｃドライバ・レシーバ（情報処理装置の）
８  操作部（情報処理装置の）
９  表示部（情報処理装置の）
１０  記録部（情報処理装置の）
１１  通信回線
１２  情報処理装置
２１  ＣＰＵ（検査装置の）
２２  ＲＯＭ（検査装置の）
２３  ＲＡＭ（検査装置の）
２４  ゲートアレイ（検査装置の）
２５  ＲＳ２３２Ｃドライバ・レシーバ（検査装置の）
２６  ＳＩＯ（検査装置の）
２７  ＥＥＰＲＯＭ（検査装置の）
２８  操作部（検査装置の）
２９  記録部（検査装置の）
３０  表示部（検査装置の）
３１  検査部（検査装置の）
３２  検査装置
【図１】
0003668799.tif 000002
【図２】
0003668799.tif 000003
【図３】
0003668799.tif 000004